(57)【特許請求の範囲】
【請求項１】
台紙に貼り付けられている第１の付箋を選択する選択手段と、
前記選択手段によって選択された第１の付箋に対して、予め定められた操作が行われた場合に、該第１の付箋と新たに作成された第２の付箋との関係付けを行う関係付手段と、
前記関係付手段によって関係付けられた前記第２の付箋を、前記台紙内の前記第１の付箋との関係を示す位置に貼り付けるように制御する貼付制御手段
を具備し、
前記予め定められた操作は、前記第１の付箋を前記第２の付箋を記載する領域外の位置に移動する操作であり、
前記関係付手段は、前記操作が行われた場合は、前記第２の付箋は、前記第１の付箋と同じ分類に属しているとする関係付けを行い、
前記貼付制御手段は、前記操作によって定まった前記第１の付箋と前記第２の付箋の位置関係にしたがって、前記台紙内の第１の付箋の周囲に第２の付箋を貼り付けるように制御する
ことを特徴とする情報処理装置。
【請求項２】
台紙に貼り付けられている第１の付箋を選択する選択手段と、
前記選択手段によって選択された第１の付箋に対して、予め定められた操作が行われた場合に、該第１の付箋と新たに作成された第２の付箋との関係付けを行う関係付手段と、
前記関係付手段によって関係付けられた前記第２の付箋を、前記台紙内の前記第１の付箋との関係を示す位置に貼り付けるように制御する貼付制御手段
を具備し、
前記予め定められた操作は、前記第１の付箋を前記第２の付箋を記載する領域内の位置に移動する操作であり、
前記関係付手段は、前記操作が行われた場合は、前記第２の付箋は、前記第１の付箋を補足しているとする関係付けを行い、
前記貼付制御手段は、前記操作によって定まった前記第１の付箋と前記第２の付箋の位置関係にしたがって、前記台紙内の第１の付箋の周囲に第２の付箋を貼り付けるように制御する
ことを特徴とする情報処理装置。
【請求項３】
前記予め定められた操作は、前記第１の付箋を移動せずに、修正して第２の付箋を作成する操作であり、
前記関係付手段は、前記操作が行われた場合は、前記第２の付箋を前記第１の付箋を修正したとする関係付けを行い、
前記貼付制御手段は、前記台紙内の第１の付箋の代わりに第２の付箋を貼り付けるように制御する
ことを特徴とする請求項１又は２に記載の情報処理装置。
【請求項４】
前記予め定められた操作は、前記第１の付箋を消去する操作であり、
前記関係付手段は、前記操作が行われた場合は、前記第２の付箋を前記第１の付箋とは独立であるとする関係付けを行い、
前記貼付制御手段は、前記台紙内の第１の付箋とは独立した位置に第２の付箋を貼り付けるように制御する
ことを特徴とする請求項１から３のいずれか一項に記載の情報処理装置。
【請求項５】
コンピュータを、
台紙に貼り付けられている第１の付箋を選択する選択手段と、
前記選択手段によって選択された第１の付箋に対して、予め定められた操作が行われた場合に、該第１の付箋と新たに作成された第２の付箋との関係付けを行う関係付手段と、
前記関係付手段によって関係付けられた前記第２の付箋を、前記台紙内の前記第１の付箋との関係を示す位置に貼り付けるように制御する貼付制御手段
として機能させ、
前記予め定められた操作は、前記第１の付箋を前記第２の付箋を記載する領域外の位置に移動する操作であり、
前記関係付手段は、前記操作が行われた場合は、前記第２の付箋は、前記第１の付箋と同じ分類に属しているとする関係付けを行い、
前記貼付制御手段は、前記操作によって定まった前記第１の付箋と前記第２の付箋の位置関係にしたがって、前記台紙内の第１の付箋の周囲に第２の付箋を貼り付けるように制御する
情報処理プログラム。
【請求項６】
コンピュータを、
台紙に貼り付けられている第１の付箋を選択する選択手段と、
前記選択手段によって選択された第１の付箋に対して、予め定められた操作が行われた場合に、該第１の付箋と新たに作成された第２の付箋との関係付けを行う関係付手段と、
前記関係付手段によって関係付けられた前記第２の付箋を、前記台紙内の前記第１の付箋との関係を示す位置に貼り付けるように制御する貼付制御手段
として機能させ、
前記予め定められた操作は、前記第１の付箋を前記第２の付箋を記載する領域内の位置に移動する操作であり、
前記関係付手段は、前記操作が行われた場合は、前記第２の付箋は、前記第１の付箋を補足しているとする関係付けを行い、
前記貼付制御手段は、前記操作によって定まった前記第１の付箋と前記第２の付箋の位置関係にしたがって、前記台紙内の第１の付箋の周囲に第２の付箋を貼り付けるように制御する
情報処理プログラム。
【発明の詳細な説明】
【技術分野】
【０００１】
本発明は、情報処理装置及び情報処理プログラムに関する。
【背景技術】
【０００２】
特許文献１には、ユーザーの円滑な作業を促進して利便性の高い会議支援システムを提供することを課題とし、ＣＰＵは、端末装置から書込データを受信したかどうかを判断し、ＣＰＵは、端末装置から書込データを受信したと判断した場合には、次に、端末装置から図形データを受信したかどうかを判断し、ＣＰＵは、図形データを受信したと判断した場合には、図形データに基づいて一致する位置関連情報があるかどうかを判断し、ＣＰＵは、一致する位置関連情報があると判断した場合には、位置関連情報に対応する領域に書込データを表示することが開示されている。
【先行技術文献】
【特許文献】
【０００３】
【特許文献１】特開２０１１−０９０４８６号公報
【発明の概要】
【発明が解決しようとする課題】
【０００４】
本発明は、台紙に貼り付けられている第１の付箋を選択した後に第２の付箋が作成された場合に、第１の付箋に対して行われた操作に応じて、２つの付箋の関係付けと第２の付箋を貼り付ける位置の制御を行うようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、台紙に貼り付けられている第１の付箋を選択する選択手段と、前記選択手段によって選択された第１の付箋に対して、予め定められた操作が行われた場合に、該第１の付箋と新たに作成された第２の付箋との関係付けを行う関係付手段と、前記関係付手段によって関係付けられた前記第２の付箋を、前記台紙内の前記第１の付箋との関係を示す位置に貼り付けるように制御する貼付制御手段を具備し、前記予め定められた操作は、前記第１の付箋を前記第２の付箋を記載する領域外の位置に移動する操作であり、前記関係付手段は、前記操作が行われた場合は、前記第２の付箋は、前記第１の付箋と同じ分類に属しているとする関係付けを行い、前記貼付制御手段は、前記操作によって定まった前記第１の付箋と前記第２の付箋の位置関係にしたがって、前記台紙内の第１の付箋の周囲に第２の付箋を貼り付けるように制御することを特徴とする情報処理装置である。
【０００７】
請求項２の発明は、台紙に貼り付けられている第１の付箋を選択する選択手段と、前記選択手段によって選択された第１の付箋に対して、予め定められた操作が行われた場合に、該第１の付箋と新たに作成された第２の付箋との関係付けを行う関係付手段と、前記関係付手段によって関係付けられた前記第２の付箋を、前記台紙内の前記第１の付箋との関係を示す位置に貼り付けるように制御する貼付制御手段を具備し、前記予め定められた操作は、前記第１の付箋を前記第２の付箋を記載する領域内の位置に移動する操作であり、前記関係付手段は、前記操作が行われた場合は、前記第２の付箋は、前記第１の付箋を補足しているとする関係付けを行い、前記貼付制御手段は、前記操作によって定まった前記第１の付箋と前記第２の付箋の位置関係にしたがって、前記台紙内の第１の付箋の周囲に第２の付箋を貼り付けるように制御することを特徴とする情報処理装置である。
【０００８】
請求項３の発明は、前記予め定められた操作は、前記第１の付箋を移動せずに、修正して第２の付箋を作成する操作であり、前記関係付手段は、前記操作が行われた場合は、前記第２の付箋を前記第１の付箋を修正したとする関係付けを行い、前記貼付制御手段は、前記台紙内の第１の付箋の代わりに第２の付箋を貼り付けるように制御することを特徴とする請求項１又は２に記載の情報処理装置である。
【０００９】
請求項４の発明は、前記予め定められた操作は、前記第１の付箋を消去する操作であり、前記関係付手段は、前記操作が行われた場合は、前記第２の付箋を前記第１の付箋とは独立であるとする関係付けを行い、前記貼付制御手段は、前記台紙内の第１の付箋とは独立した位置に第２の付箋を貼り付けるように制御することを特徴とする請求項１から３のいずれか一項に記載の情報処理装置である。
【００１０】
請求項５の発明は、コンピュータを、台紙に貼り付けられている第１の付箋を選択する選択手段と、前記選択手段によって選択された第１の付箋に対して、予め定められた操作が行われた場合に、該第１の付箋と新たに作成された第２の付箋との関係付けを行う関係付手段と、前記関係付手段によって関係付けられた前記第２の付箋を、前記台紙内の前記第１の付箋との関係を示す位置に貼り付けるように制御する貼付制御手段として機能させ、前記予め定められた操作は、前記第１の付箋を前記第２の付箋を記載する領域外の位置に移動する操作であり、前記関係付手段は、前記操作が行われた場合は、前記第２の付箋は、前記第１の付箋と同じ分類に属しているとする関係付けを行い、前記貼付制御手段は、前記操作によって定まった前記第１の付箋と前記第２の付箋の位置関係にしたがって、前記台紙内の第１の付箋の周囲に第２の付箋を貼り付けるように制御する情報処理プログラムである。
請求項６の発明は、コンピュータを、台紙に貼り付けられている第１の付箋を選択する選択手段と、前記選択手段によって選択された第１の付箋に対して、予め定められた操作が行われた場合に、該第１の付箋と新たに作成された第２の付箋との関係付けを行う関係付手段と、前記関係付手段によって関係付けられた前記第２の付箋を、前記台紙内の前記第１の付箋との関係を示す位置に貼り付けるように制御する貼付制御手段として機能させ、前記予め定められた操作は、前記第１の付箋を前記第２の付箋を記載する領域内の位置に移動する操作であり、前記関係付手段は、前記操作が行われた場合は、前記第２の付箋は、前記第１の付箋を補足しているとする関係付けを行い、前記貼付制御手段は、前記操作によって定まった前記第１の付箋と前記第２の付箋の位置関係にしたがって、前記台紙内の第１の付箋の周囲に第２の付箋を貼り付けるように制御する情報処理プログラムである。
【発明の効果】
【００１１】
請求項１の情報処理装置によれば、台紙に貼り付けられている第１の付箋を選択した後に第２の付箋が作成された場合に、第１の付箋に対して行われた操作に応じて、２つの付箋の関係付けと第２の付箋を貼り付ける位置の制御を行うことができる。また、第１の付箋を第２の付箋を記載する領域外の位置に移動する操作が行われた場合に、第２の付箋は第１の付箋と同じ分類に属しているとする関係付けを行い、操作によって定まった２つの付箋の位置関係にしたがった位置に貼り付けるように制御することができる。
【００１３】
請求項２の情報処理装置によれば、台紙に貼り付けられている第１の付箋を選択した後に第２の付箋が作成された場合に、第１の付箋に対して行われた操作に応じて、２つの付箋の関係付けと第２の付箋を貼り付ける位置の制御を行うことができる。また、第１の付箋を第２の付箋を記載する領域内の位置に移動する操作が行われた場合に、第２の付箋は第１の付箋を補足しているとする関係付けを行い、操作によって定まった２つの付箋の位置関係にしたがった位置に貼り付けるように制御することができる。
【００１４】
請求項３の情報処理装置によれば、第１の付箋を移動せずに、修正して第２の付箋を作成する操作が行われた場合に、第１の付箋の代わりに第２の付箋を貼り付けるように制御することができる。
【００１５】
請求項４の情報処理装置によれば、第１の付箋を消去する操作が行われた場合に、第１の付箋とは独立した位置に第２の付箋を貼り付けるように制御することができる。
【００１６】
請求項５の情報処理プログラムによれば、台紙に貼り付けられている第１の付箋を選択した後に第２の付箋が作成された場合に、第１の付箋に対して行われた操作に応じて、２つの付箋の関係付けと第２の付箋を貼り付ける位置の制御を行うことができる。また、第１の付箋を第２の付箋を記載する領域外の位置に移動する操作が行われた場合に、第２の付箋は第１の付箋と同じ分類に属しているとする関係付けを行い、操作によって定まった２つの付箋の位置関係にしたがった位置に貼り付けるように制御することができる。
請求項６の情報処理プログラムによれば、台紙に貼り付けられている第１の付箋を選択した後に第２の付箋が作成された場合に、第１の付箋に対して行われた操作に応じて、２つの付箋の関係付けと第２の付箋を貼り付ける位置の制御を行うことができる。また、第１の付箋を第２の付箋を記載する領域内の位置に移動する操作が行われた場合に、第２の付箋は第１の付箋を補足しているとする関係付けを行い、操作によって定まった２つの付箋の位置関係にしたがった位置に貼り付けるように制御することができる。
【図面の簡単な説明】
【００１７】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理例を示す説明図である。
【図５】本実施の形態による処理例を示す説明図である。
【図６】本実施の形態による処理例を示す説明図である。
【図７】本実施の形態による処理例を示す説明図である。
【図８】本実施の形態による処理例を示す説明図である。
【図９】本実施の形態による処理例を示す説明図である。
【図１０】本実施の形態による処理例を示す説明図である。
【図１１】本実施の形態による処理例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示す説明図である。
【図１６】本実施の形態による処理例を示す説明図である。
【図１７】本実施の形態による処理例を示す説明図である。
【図１８】本実施の形態による処理例を示す説明図である。
【図１９】本実施の形態による処理例を示す説明図である。
【図２０】本実施の形態による処理例を示す説明図である。
【図２１】本実施の形態を実現するコンピュータのハードウェア構成例を示すブロック図である。
【発明を実施するための形態】
【００１８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
本実施の形態である参加者用端末１００は、台紙に貼り付けられている第１の付箋を選択した後に第２の付箋が作成された場合に、その２つの付箋の関係と第２の付箋の貼り付け位置を制御するものであって、図１の例に示すように、通信モジュール１０５、既存付箋取込モジュール１１０、送信付箋関連付けモジュール１１５、既存付箋畳重ＵＩモジュール１２０、付箋関連判定モジュール１２５、操作・属性記録モジュール１３０を有している。参加者用端末１００は、付箋サービス処理装置１５０を介して共有画面装置１８０と接続されている。もちろんのことながら、台紙（ボードともいわれる）、付箋は、電子的に実現されたものであって、液晶ディスプレイ等の表示装置に表示されるものである。
共有画面装置１８０は、付箋を用いて、司会者等の役割を持つファシリテーター（一般的には一人）と複数人の参加者によって行われる会合（会議、アイデア抽出会、検討会等）で利用される。参加者は参加者用端末１００を用いて、アイデア等が記載された付箋を作成する。一般的に、１つの共有画面装置１８０に対して、参加者用端末１００は複数ある。ファシリテーターは、共有画面装置１８０を用いて、その台紙上で、付箋の位置を決定又は変更したり、付箋をまとめたり（複数の付箋を関連付けること、グループ化等ともいわれる）、自らも付箋情報の作成等を行って、その会合を進行させる。なお、本実施の形態において、参加者には、ファシリテーターを含めてもよい。
【００２０】
複数の付箋の関係については、以下の４つがある。なお、第１の付箋は、既に作成されたものであって、台紙に貼り付けられているものである。第２の付箋は、新規に作成された付箋であって、第１の付箋を選択（以下、ピック（ｐｉｃｋ）ともいう）した後に作成されたものである。
（１）上乗せの関係（上乗せモード）
第２の付箋は、第１の付箋と同じ分類に属しているとする関係である。ここで、同じ分類とは、予め定められた種別（その会合において、話し合って策定された種別等）に属していること（属しているか否かの判断基準も、その会合において、話し合って策定されていてもよい）であってもよいし、第２の付箋を作成したユーザーが第１の付箋と同じ種別に属するものであると考えたもの（主観的に同じ種別）であってもよい。この関係によって、第１の付箋と第２の付箋をグループ化してもよいし、グループ化の候補としてもよい。
（２）補足の関係（コンテキスト補足モード）
第２の付箋は、第１の付箋を補足するものであるという関係である。なお、補足の概念に、補充、付加、相補、続き、追伸、マージ等を含めてもよい。例えば、第１の付箋内には書き切れずに、その続きを第２の付箋に書き込む等の場合が該当する。
（３）修正の関係（修正入替モード）
第２の付箋は、第１の付箋を修正（変更等を含む）した関係である。つまり、第２の付箋は、第１の付箋を修正したものであって、第２の付箋は第１の付箋に置換されるものである。なお、第２の付箋の作成後（第１の付箋の修正後）は、１つの付箋が存在するだけであり、２つの付箋が存在するわけではない。
（４）独立の関係（通常送信モード）
第２の付箋は、第１の付箋とは関係がないことである。もちろんのことながら、上乗せの関係、補足の関係、修正の関係を有していない。つまり、第２の付箋は、第１の付箋を選択した後に作成された（作成しようとしている）にもかかわらず、第１の付箋とは、無関係である付箋として作成されたものである。第１の付箋の選択を誤った場合に発生するものである。
【００２１】
通信モジュール１０５は、付箋サービス処理装置１５０の通信モジュール１５５と接続されている。通信モジュール１０５は、付箋サービス処理装置１５０と通信を行う。例えば、参加者用端末１００による処理結果を共有画面装置１８０の表示装置に反映させるための通信を行う。ここでの通信は、無線、有線、これらの組み合わせであってもよく、例えば、通信インフラとしてのインターネット、イントラネット等であってもよい。
既存付箋取込モジュール１１０は、台紙に貼り付けられている第１の付箋を選択する。この選択は、タッチパネル、マウス、キーボード、音声、視線、ジェスチャ等を用いたユーザーの操作によって行われる。なお、台紙、第１の付箋は、参加者用端末１００の表示装置に表示されていてもよいし、共有画面装置１８０の表示装置に表示されていてもよい。
【００２２】
送信付箋関連付けモジュール１１５は、既存付箋取込モジュール１１０によって選択された第１の付箋に対して、予め定められた操作が行われた場合に、その第１の付箋と新たに作成された第２の付箋との関係付けを行う。なお、「新たに作成された第２の付箋」は、新規に作成したもの（白紙の付箋から作成したもの）であってもよいし、第１の付箋を変更したものであってもよい。
そして、関係付けた第２の付箋を、台紙内の第１の付箋との関係を示す位置に貼り付けるように制御する。なお、貼り付けの制御は、付箋サービス処理装置１５０又は共有画面装置１８０が行うようにしてもよい。
【００２３】
また、予め定められた操作として、第１の付箋を第２の付箋を記載する領域外の位置に移動する操作としてもよい。この操作を行うにあたって、第１の付箋を縮小（以下、縮小した結果をサムネイルともいう）又はその第１の付箋を示す図形（記号等を含む）を生成して、その縮小等した第１の付箋に対する操作を行うものであってもよい。
そして、送信付箋関連付けモジュール１１５は、その操作が行われた場合は、第２の付箋は、第１の付箋と同じ分類に属しているとする関係付け（上乗せの関係）を行うようにしてもよい。
また、送信付箋関連付けモジュール１１５は、その操作によって定まった第１の付箋と第２の付箋の位置関係にしたがって、台紙内の第１の付箋の周囲に第２の付箋を貼り付けるように制御するようにしてもよい。
【００２４】
また、予め定められた操作として、第１の付箋を第２の付箋を記載する領域内の位置に移動する操作としてもよい。この操作を行うにあたって、第１の付箋を縮小又はその第１の付箋を示す図形（記号等を含む）を生成して、その縮小等した第１の付箋に対する操作を行うものであってもよい。
そして、送信付箋関連付けモジュール１１５は、その操作が行われた場合は、第２の付箋は、第１の付箋を補足しているとする関係付け（補足の関係）を行うようにしてもよい。
また、送信付箋関連付けモジュール１１５は、その操作によって定まった第１の付箋と第２の付箋の位置関係にしたがって、台紙内の第１の付箋の周囲に第２の付箋を貼り付けるように制御するようにしてもよい。
【００２５】
また、予め定められた操作として、第１の付箋を移動せずに、修正して第２の付箋を作成する操作としてもよい。
そして、送信付箋関連付けモジュール１１５は、その操作が行われた場合は、第２の付箋を第１の付箋を修正したとする関係付け（修正の関係）を行うようにしてもよい。
また、送信付箋関連付けモジュール１１５は、台紙内の第１の付箋の代わりに第２の付箋を貼り付けるように制御するようにしてもよい。
【００２６】
また、予め定められた操作として、第１の付箋を消去する操作としてもよい。
そして、送信付箋関連付けモジュール１１５は、その操作が行われた場合は、第２の付箋を第１の付箋とは独立であるとする関係付け（独立の関係）を行うようにしてもよい。
また、送信付箋関連付けモジュール１１５は、台紙内の第１の付箋とは独立した位置に第２の付箋を貼り付けるように制御するようにしてもよい。
【００２７】
既存付箋畳重ＵＩモジュール１２０は、既存の付箋（第１の付箋）間の重ね合わせの関係、第１の付箋と第２の付箋との重ね合わせの関係等を管理する。
付箋関連判定モジュール１２５は、第１の付箋と第２の付箋が、前述した予め定められた関係を有しているか否かの判定を行う。
操作・属性記録モジュール１３０は、参加者用端末１００におけるユーザーの操作、付箋の属性等を管理する。
【００２８】
付箋サービス処理装置１５０は、通信モジュール１５５、付箋内容管理モジュール１６０、付箋属性管理モジュール１６５、付箋関連付け管理モジュール１７０を有している。付箋サービス処理装置１５０は、台紙、付箋を管理するものであって、参加者用端末１００、共有画面装置１８０による付箋の作成、表示を管理する。
通信モジュール１５５は、参加者用端末１００の通信モジュール１０５、共有画面装置１８０の通信モジュール１８５と接続されている。通信モジュール１５５は、参加者用端末１００、共有画面装置１８０と通信を行う。例えば、参加者用端末１００による処理結果を共有画面装置１８０の表示装置に反映させるために、参加者用端末１００、共有画面装置１８０との通信を行う。ここでの通信は、無線、有線、これらの組み合わせであってもよく、例えば、通信インフラとしてのインターネット、イントラネット等であってもよい。
付箋内容管理モジュール１６０は、参加者用端末１００、共有画面装置１８０で作成、表示されている付箋の内容（付箋に書き込まれている内容）を管理する。なお、この内容は、テキストデータ、図形、画像、動画、音声等の電子データ、又はこれらの組み合わせである。以下、テキストデータを例示して説明する。
付箋属性管理モジュール１６５は、付箋の属性（付箋の表示色（背景色）、貼り付け位置の座標、付箋の大きさ、付箋を作成した者、付箋を編集した者、作成日時（年、月、日、時、分、秒、秒以下、又はこれらの組み合わせであってもよい）、編集日時等）を管理する。
付箋関連付け管理モジュール１７０は、付箋間の関係を管理する。なお、管理対象とする関係は、前述した「上乗せの関係」、「補足の関係」だけでよい。また、「上乗せの関係」、「補足の関係」のいずれか一方だけを実装した場合は、その実装した関係だけを管理すればよい。
【００２９】
共有画面装置１８０は、通信モジュール１８５、表示モジュール１９０を有している。
通信モジュール１８５は、付箋サービス処理装置１５０の通信モジュール１５５と接続されている。通信モジュール１８５は、付箋サービス処理装置１５０と通信を行う。例えば、参加者用端末１００による処理結果を共有画面装置１８０の表示装置に反映させるために、付箋サービス処理装置１５０との通信を行う。
表示モジュール１９０は、プロジェクター等の表示装置を制御するモジュールであって、台紙と付箋を表示する。大型の画面（例えば、８０インチ等の大きさ）を備えたものであってもよい。また、表示モジュール１９０は、電子白板であって、ファシリテーターの指又はペン等の動きを検知して、付箋を台紙に貼り付けること、付箋の関連付け（グループ化）を行うこと等の操作を受け付けるものである。例えば、共有画面装置１８０にペンが備えられており、そのペンが予め定められたペン置きから離れたこと（ファシリテーターが操作するためにペンを持ち上げたこと）、そしてペンの先端の位置（表示装置に触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、表示装置の表示画面全体がタッチセンサーであり、表示画面に触れられた位置を検知すればよい。
【００３０】
図２は、本実施の形態を利用したシステム構成例を示す説明図である。
図２（ａ）は、参加者用端末１００、共有画面装置１８０を用いる会議室２１０内で、付箋サービス処理装置１５０が設置された形態での使用例を示している。
会議室２１０内に、参加者用端末１００Ａ、参加者用端末１００Ｂ、参加者用端末１００Ｃ、参加者用端末１００Ｄ、参加者用端末１００Ｅ、付箋サービス処理装置１５０、共有画面装置１８０がある。参加者用端末１００Ａ、参加者用端末１００Ｂ、参加者用端末１００Ｃ、参加者用端末１００Ｄ、参加者用端末１００Ｅ、共有画面装置１８０は、それぞれ付箋サービス処理装置１５０と通信回線を介して接続されている。通信回線は、無線、有線、これらの組み合わせであってもよい。
参加者用端末１００は、参加者によって所持（個人所有のモバイル端末であってもよい）され、使用される。共有画面装置１８０は、ファシリテーターによって使用される。また、ファシリテーターも参加者用端末１００を所持していてもよい。
共有画面装置１８０に台紙、その台紙に貼り付けられた付箋が表示される。参加者は、それらを見ながら、参加者用端末１００を用いて付箋を作成し、台紙に貼り付ける操作（以下、Ｄｒｏｐともいう）が行われる。また、付箋を作成する場合に、台紙に貼り付けられた付箋に啓発等されて新しい付箋を作成したい場合がある。そのような場合は、その付箋を選択して、その選択した付箋と関連した付箋を作成する。
【００３１】
図２（ｂ）は、付箋サービス処理装置１５０が、複数の会合を管理するものである。
会議室２１０Ａ内に、参加者用端末１００Ａ、参加者用端末１００Ｂ、参加者用端末１００Ｃ、参加者用端末１００Ｄ、共有画面装置１８０Ａがある。そして、別の会議室２１０Ｂ内に、参加者用端末１００Ｅ、参加者用端末１００Ｆ、参加者用端末１００Ｇ、参加者用端末１００Ｈ、参加者用端末１００Ｉ、共有画面装置１８０Ｂがある。参加者用端末１００Ａ、参加者用端末１００Ｂ、参加者用端末１００Ｃ、参加者用端末１００Ｄ、参加者用端末１００Ｅ、参加者用端末１００Ｆ、参加者用端末１００Ｇ、参加者用端末１００Ｈ、参加者用端末１００Ｉ、付箋サービス処理装置１５０、共有画面装置１８０Ａ、共有画面装置１８０Ｂは、通信回線２９０を介してそれぞれ接続されている。通信回線２９０は、無線、有線、これらの組み合わせであってもよく、例えば、通信インフラとしてのインターネット、イントラネット等であってもよい。付箋サービス処理装置１５０による機能は、付箋を用いた複数の会合を支援するクラウドサービスとして実現してもよい。
【００３２】
図３は、本実施の形態による処理例を示すフローチャートである。図４〜１１に示す具体例を用いて説明する。
図４は、会合の風景の例を示したものである。図４（ａ）の例では、共有画面装置１８０が設置され、各ユーザー（参加者だけでなく、ファシリテーターも含む）が参加者用端末１００を有している。共有画面装置１８０の画面４９５には付箋Ａ４９０が表示されている。つまり、台紙上に、付箋Ａ４９０が貼り付けられている。
図４（ｂ）の例は、参加者用端末１００の画面４００に、付箋表示領域４１０を表示している。ユーザー４８０の操作によって、付箋表示領域４１０に書き込みが行われ、台紙に貼り付けの操作が行われる。
ステップＳ３０２では、台紙上にある付箋Ａ４９０を選択する。ファシリテーターのユーザー４８０Ａが選択をしてもよいし、参加者用端末１００の画面４００に共有画面装置１８０の画面４９５と同等のものを表示させ、参加者（例えば、ユーザー４８０Ｂ等）が選択してもよい。また、台紙で最後に（現在から一番近い過去）、作成、編集等されたものを選択できるボタン（「さっきの」ボタン）等を用意して、付箋Ａ４９０を選択できるようにしてもよい。付箋Ａ４９０が選択されるのは、付箋Ａ４９０を修正したい場合、付箋Ａ４９０と同じ分類に属する付箋（上乗せの関係がある付箋）を作成したい場合、付箋Ａ４９０を補足したい場合がある。また、誤って選択した場合がある。
【００３３】
ステップＳ３０４では、参加者用端末１００に選択した付箋Ａ４９０を表示する。図５は、参加者用端末１００の画面４００に付箋Ａ４９０を表示した例を示している。付箋表示領域４１０内に、付箋Ａ４９０の内容を表示する。なお、付箋表示領域４１０を、画面４００のほぼ中央に表示し、枠外５１０の領域がある。また、ドロップボタン５１５を表示し、ドロップボタン５１５が選択された場合は、付箋表示領域４１０内の内容を付箋として、共有画面装置１８０へ送信（台紙への貼り付け）を行う。なお、送信する内容は、その際に、選択した付箋の内容、新しく作成した付箋の関係、位置関係、属性等である。
【００３４】
ステップＳ３０６では、ユーザーの操作を判断し、表示されている付箋Ａ４９０を修正した場合はステップＳ３０８へ進み（修正の関係）、表示されている付箋Ａ４９０をサムネイル化した場合はステップＳ３１２へ進み（上乗せの関係又は補足の関係）、表示されている付箋Ａ４９０を消去した場合はステップＳ３２２へ進む（独立の関係）。
図５の例に示す状態で、付箋表示領域４１０内を修正（変更、削除、追加等）した場合、「表示されている付箋Ａ４９０を修正した場合」に該当する。
ステップＳ３０８では、付箋Ａ４９０を修正する。ユーザー４８０の操作によって、付箋表示領域４１０内が修正される。
ステップＳ３１０では、修正された付箋を、元の付箋Ａ４９０の入れ替えとして付箋サービス処理装置１５０へ送信する。ユーザー４８０の操作によって、ドロップボタン５１５が選択された場合、付箋表示領域４１０内の内容を、付箋Ａ４９０として台紙に貼り付ける。つまり、共有画面装置１８０の画面４９５に表示されている付箋Ａ４９０が修正される。新しい付箋は付加されない。
【００３５】
ステップＳ３１２では、ユーザーの操作を判断し、枠外での移動の場合はステップＳ３１４へ進み（上乗せの関係）、枠内への移動の場合はステップＳ３１８へ進む（補足の関係）。
この例では、図６（ａ）の例に示すような、付箋表示領域４１０から枠外５１０へ移動操作６２０する操作が、サムネイル化の操作にあたる。なお、上乗せの関係又は補足の関係を指定する操作であるならば、必ずしもサムネイル化を伴う必要はないし、枠外５１０への移動操作６２０でなくてもよい。例えば、上乗せの関係又は補足の関係を指定するボタン等を用意してもよい。また、いったん枠外５１０に移動した後に、付箋表示領域４１０へ戻す操作が行われた場合は、枠内への移動と判断し、ステップＳ３１８へ進む。
図６（ｂ）の例に示す状態は、図６（ａ）の例に示す移動操作６２０の操作が行われた場合に、付箋表示領域４１０内の内容（元の付箋Ａ４９０の内容）を縮小化して、枠外５１０の移動操作６２０が行われた位置に、付箋サムネイル６２５を表示したものである。そして、付箋表示領域４１０内を空白にし、新しい付箋を作成できるようにしている。なお、付箋表示領域４１０内を空白にせず、元の付箋Ａ４９０の内容をそのまま表示して、編集できるようにしてもよい。
そして、ユーザーの操作によって、付箋サムネイル６２５を枠外５１０内（つまり、付箋表示領域４１０内への移動ではなく）で、移動する。具体的には、図６（ｃ）の例に示すように、付箋サムネイル６３０Ｄから付箋サムネイル６３０Ｃ又は付箋サムネイル６３０Ａの間、付箋サムネイル６３０Ａから付箋サムネイル６３０Ｂ又は付箋サムネイル６３０Ｄの間、付箋サムネイル６３０Ｂから付箋サムネイル６３０Ｃ又は付箋サムネイル６３０Ａの間、付箋サムネイル６３０Ｃから付箋サムネイル６３０Ｄ又は付箋サムネイル６３０Ｂの間で移動できる。もちろんのことながら、枠外５１０内の角の位置だけでなく、その途中の空間の位置に移動してもよい。この移動操作は、台紙上における付箋Ａ４９０（付箋Ａ）と新しく作成した付箋Ｂとの位置関係を指定するものである。
【００３６】
ステップＳ３１４では、付箋Ｂを作成する。ユーザーの操作によって、付箋表示領域４１０内で新しい付箋Ｂの内容が記載される。
ステップＳ３１６では、作成された付箋Ｂを、付箋Ａに対しての上乗せであること、枠外にある付箋Ａと付箋Ｂとの位置関係（具体的には、図７（ａ）の例に示すように、付箋表示領域４１０に対して右上の位置に付箋サムネイル６２５がある位置関係）とともに付箋サービス処理装置１５０へ送信する。例えば、図７（ａ）に示すように、付箋表示領域４１０内に新しい付箋Ｂの内容が記載され、付箋サムネイル６２５を付箋表示領域４１０に対して右上の位置にある状態で、ドロップボタン５１５が選択されたとする。図７（ｂ）の例に示すように、共有画面装置１８０の画面４９５の台紙上では、元の付箋Ａ４９０の表示位置に対して、左下に付箋Ｂ７２０（ドロップボタン５１５が選択された時点での付箋表示領域４１０内の内容）を表示する。
なお、付箋Ｂ７２０は、付箋Ａ４９０に対して上乗せの関係であることを示す表示として、両方の付箋は重ね合わせないで、いずれかの周囲が接しているように表示している。
【００３７】
次に、ステップＳ３１２で、ステップＳ３１８へ進む場合について説明する。図８（ａ）、（ｂ）に示す例は、図６（ａ）、（ｂ）の例に示すものと同等である。ここで、図８（ｃ）の例に示すような、付箋サムネイル６２５を枠外５１０から元の付箋表示領域４１０へ移動操作８２０する操作が行われた場合が、「枠内への移動」に該当する。
そして、ユーザーの操作によって、付箋サムネイル６２５を付箋表示領域４１０内（つまり、枠外５１０内への移動ではなく）で、移動する。具体的には、図８（ｄ）の例に示すように、付箋サムネイル８３０Ｄから付箋サムネイル８３０Ｃ又は付箋サムネイル８３０Ａの間、付箋サムネイル８３０Ａから付箋サムネイル８３０Ｂ又は付箋サムネイル８３０Ｄの間、付箋サムネイル８３０Ｂから付箋サムネイル８３０Ｃ又は付箋サムネイル８３０Ａの間、付箋サムネイル８３０Ｃから付箋サムネイル８３０Ｄ又は付箋サムネイル８３０Ｂの間で移動できる。もちろんのことながら、付箋表示領域４１０内の角の位置だけでなく、その途中の空間の位置に移動してもよい。また、付箋表示領域４１０の周囲における移動だけでなく、付箋表示領域４１０の内部における移動であってもよい。この移動操作は、台紙上における付箋Ａ４９０（付箋Ａ）と新しく作成した付箋Ｂとの位置関係を指定するものである。なお、付箋表示領域４１０内での新しい付箋Ｂの作成が行われるときは、付箋サムネイル６２５を消去するようにしてもよいし、薄い表示にしてもよい。
【００３８】
ステップＳ３１８では、付箋Ｂを作成する。ユーザーの操作によって、付箋表示領域４１０内で新しい付箋Ｂの内容が記載される。
ステップＳ３２０では、作成された付箋Ｂを、付箋Ａに対しての補足モードであること、枠内にある付箋Ａと付箋Ｂとの位置関係（具体的には、図９（ａ）の例に示すように、付箋表示領域４１０に対して右下の位置に付箋サムネイル６２５がある位置関係）とともに付箋サービス処理装置１５０へ送信する。例えば、図９（ａ）に示すように、付箋表示領域４１０内に新しい付箋Ｂの内容が記載され、付箋サムネイル６２５を付箋表示領域４１０に対して右下の位置にある状態で、ドロップボタン５１５が選択されたとする。図９（ｂ）の例に示すように、共有画面装置１８０の画面４９５の台紙上では、元の付箋Ａ４９０の表示位置に対して、左上に付箋Ｂ９２０（ドロップボタン５１５が選択された時点での付箋表示領域４１０内の内容）を表示する。
なお、付箋Ｂ９２０は、付箋Ａ４９０に対して補足の関係であることを示す表示として、両方の付箋の一部を重ね合わせて表示している。その重ね合わせは、付箋Ａ４９０を上にして、付箋Ｂ９２０を下にしたものであり、付箋Ｂ９２０が付箋Ａ４９０の補足であることを示している。
【００３９】
次に、ステップＳ３０６で、ステップＳ３２２へ進む場合について説明する。図１０の例に示すように、画面４００内（図１０の例では、例えば、付箋表示領域４１０内の左上の位置）に消去ボタン１０１０を表示するようにしてもよい。ユーザーの操作によって消去ボタン１０１０が選択された場合は、付箋表示領域４１０内に表示された付箋Ａ４９０の内容を消去するものである。具体的には、図５の例に示す状態から、消去ボタン１０１０が選択された場合は、図１０のように、付箋表示領域４１０を空白にする。ここで、付箋Ａとは独立の関係（無関係）になったことを示している。なお、図５等の例でも、画面４００内に消去ボタン１０１０を表示させるようにしてもよい。
ステップＳ３２２では、付箋Ｂを作成する。ユーザーの操作によって、付箋表示領域４１０内で新しい付箋Ｂの内容が記載される。具体的には、図１１（ａ）の例に示すように、付箋表示領域４１０内に付箋Ｂの内容が記載され、付箋Ａの内容を示す付箋サムネイル６２５等は、画面４００内には表示されていない。
ステップＳ３２４では、作成された付箋Ｂを、付箋Ａとは独立した付箋として付箋サービス処理装置１５０へ送信する。つまり、付箋Ａが選択されずに、新しい付箋Ｂが作成された状態のものと同等のものとして扱う。例えば、図１１（ｂ）の例に示すように、共有画面装置１８０の画面４９５の台紙上で、新規の付箋を表示するデフォルト領域（予め定められた領域）内に付箋Ｂ１１２０（ドロップボタン５１５が選択された時点での付箋表示領域４１０内の内容）を表示する。もちろんのことながら、付箋Ａ４９０とは関係がないこと（付箋Ａ４９０とは上乗せの関係、補足の関係ではないこと）を示す位置であれば、いずれの位置であってもよい。
【００４０】
前述したユーザーインタフェースの他に、上乗せモード、コンテキスト補足モードを明示したユーザーインタフェースとしてもよい。図１２〜２０の例を用いて説明する。
図１２に示す例は、図５に示した例に上乗せモードボタン１２２０を付加したもの又は修正入替モードにおける表示である。参加者用端末１００の画面４００の付箋表示領域４１０に付箋Ａを表示した例を示している。ユーザーの操作によって、上乗せモードボタン１２２０が選択された場合、上乗せモードで新たな付箋を作成する画面である図１３の例に変更する。
【００４１】
図１３（ａ）の例は、付箋Ａを縮小した付箋サムネイル１３１０を付箋表示領域４１０内の右下に表示し、その付箋サムネイル１３１０に対する指示ボタンとして、補足モードボタン１３２０、消去ボタン１３３０を表示したものである。つまり、図１２の例での表示では等倍だった付箋Ａの表示が、付箋表示領域４１０内の右下隅にアイコン化される。なお、付箋表示領域４１０内には、ユーザーの操作によって、新しい付箋Ｂの内容が記載される。そして、図１３（ａ）の例に示す状態で、ユーザーの操作によって、ドロップボタン５１５が選択された場合は、後述する図１５（ａ）の例のように、台紙上で貼り付け位置を移動できるようにする。
図１３（ｂ）の例は、ユーザーの操作によって、付箋表示領域４１０内で付箋サムネイル１３１０を移動操作１３４０したものである。これは、後述するように、台紙上での付箋Ａ（図１３（ｂ）では付箋サムネイル１３１０）と付箋Ｂ（図１３（ｂ）では付箋表示領域４１０内に記載された内容）の位置関係を指定する操作である。つまり、新しく作成した付箋Ｂを送信する前に、貼り付け位置を指定している操作である。そして、図１３（ｂ）の例に示す状態で、ユーザーの操作によって、ドロップボタン５１５が選択された場合は、後述する図１５（ｂ）の例のように、図１３（ｂ）の例で指定された位置関係にしたがって、付箋Ｂを台紙上に貼り付ける。
図１３（ａ）又は（ｂ）の例に示す状態で、ユーザーの操作によって、補足モードボタン１３２０が選択された場合、コンテキスト補足モードで新たな付箋を作成する画面である図１４の例に変更する。同様に、ユーザーの操作によって、消去ボタン１３３０が選択された場合、図１０の例に示した消去ボタン１０１０と同等の処理を行う。
【００４２】
図１４（ａ）の例は、付箋Ａを縮小した付箋サムネイル１３１０を付箋表示領域４１０内の右下に表示し、その付箋サムネイル１３１０に対する指示ボタンとして、上乗せモードボタン１４２０、消去ボタン１３３０を表示したものである。つまり、図１３（ａ）の例で示した補足モードボタン１３２０を上乗せモードボタン１４２０に変更したものである。なお、付箋表示領域４１０内には、ユーザーの操作によって、付箋Ａの内容を補足する付箋Ｂの内容が記載される。そして、図１４（ａ）の例に示す状態で、ユーザーの操作によって、ドロップボタン５１５が選択された場合は、後述する図１６（ａ）の例のように、台紙上で貼り付け位置を移動できるようにする。
図１４（ｂ）の例は、ユーザーの操作によって、付箋表示領域内４１０で付箋サムネイル１３１０を移動操作１４４０したものである。これは、後述するように、台紙上での付箋Ａ（図１４（ｂ）では付箋サムネイル１３１０）と付箋Ｂ（図１４（ｂ）では付箋表示領域４１０内に記載された内容）の位置関係を指定する操作である。つまり、新しく作成した付箋Ｂを送信する前に、貼り付け位置を指定している操作である。そして、図１４（ｂ）の例に示す状態で、ユーザーの操作によって、ドロップボタン５１５が選択された場合は、後述する図１６（ｂ）の例のように、図１４（ｂ）の例で指定された位置関係にしたがって、付箋Ｂを台紙上に貼り付ける。
図１４（ａ）又は（ｂ）の例に示す状態で、ユーザーの操作によって、上乗せモードボタン１４２０が選択された場合、上乗せモードで新たな付箋を作成する画面である図１３の例に変更する（戻る）。同様に、ユーザーの操作によって、消去ボタン１３３０が選択された場合、図１０の例に示した消去ボタン１０１０と同等の処理を行う。
【００４３】
図１５（ａ）の例は、図１３（ａ）の例に示す状態から、ドロップボタン５１５が選択された場合の共有画面装置１８０の画面４９５の表示状態を示すものである。
図１３（ａ）の例では、付箋サムネイル１３１０に対する移動操作が行われていなかったので、台紙上（画面上）で移動が行われることを期待したものと判断し、ファシリテーターに付箋Ｂ９２０の貼り付け位置を委ねたものである。
付箋Ｂ９２０の周囲には移動強調枠１５２０を表示し、付箋Ｂ９２０は移動を行う必要があることを示している。つまり、貼り付け位置は固定されていないことを示している。そして、付箋Ｂ９２０が移動された場合は、移動強調枠１５２０を消去する。なお、移動を行う必要があることを示すのに、移動強調枠１５２０ではなく、他の表示等を行うようにしてもよい。例えば、移動を行う必要があることを示す矢印等の表示、付箋Ｂ９２０の色、大きさ、形等を変更する、フラッシュ表示、細かい振動表示、音声等の出力等、又はこれらの組み合わせであってもよい。
また、付箋Ｂ９２０の移動範囲を示す移動可能枠１５３０を表示するようにしてもよい。付箋Ｂ９２０を移動可能枠１５３０内で移動できることを示しており、移動可能枠１５３０の外へ付箋Ｂ９２０を移動させようとすると警告を発するようにしてもよい。
図１５（ｂ）の例は、図１３（ｂ）の例に示す状態から、ドロップボタン５１５が選択された場合の共有画面装置１８０の画面４９５の表示状態を示すものである。
図１５（ｂ）の例では、付箋サムネイルに対して移動操作が行われたので、新しい付箋Ｂ９２０（付箋Ｂ）の作成者が貼り付け位置を指定したものと判断したものである。図９（ｂ）と同等の状態を示している。
なお、図９（ｂ）の例に示すように、付箋Ｂ９２０を付箋Ａ４９０に重ねて貼り付けるようにしてもよい。
また、図１３（ｂ）の例に示す状態から、図１５（ａ）の例に示す状態に遷移してもよいし、図１３（ａ）の例に示す状態から、図１５（ｂ）の例に示す状態に遷移してもよい。
【００４４】
図１６（ａ）の例は、図１４（ａ）の例に示す状態から、ドロップボタン５１５が選択された場合の共有画面装置１８０の画面４９５の表示状態を示すものである。
図１４（ａ）の例では、付箋サムネイル１３１０に対する移動操作が行われていなかったので、台紙上（画面上）で移動が行われることを期待したものと判断し、ファシリテーターに付箋Ｂ９２０の貼り付け位置を委ねたものである。
付箋Ｂ９２０の周囲には移動強調枠１６２０を表示し、付箋Ｂ９２０は移動を行う必要があることを示している。つまり、貼り付け位置は固定されていないことを示している。そして、付箋Ｂ９２０が移動された場合は、移動強調枠１６２０を消去する。なお、移動を行う必要があることを示すのに、移動強調枠１６２０ではなく、他の表示等を行うようにしてもよい。例えば、移動を行う必要があることを示す矢印等の表示、付箋Ｂ９２０の色、大きさ、形等を変更する、フラッシュ表示、細かい振動表示、音声等の出力等、又はこれらの組み合わせであってもよい。
また、付箋Ｂ９２０の移動範囲を示す移動可能枠１６３０を表示するようにしてもよい。付箋Ｂ９２０を移動可能枠１６３０内で移動できることを示しており、移動可能枠１６３０の外へ付箋Ｂ９２０を移動させようとすると警告を発するようにしてもよい。なお、図１５（ａ）の例に示した移動可能枠１５３０よりも移動可能枠１６３０を広く表示するようにしてもよい。上乗せの関係であるので、補足の関係ほど密接な位置関係を示す必要がないからである。
図１６（ｂ）の例は、図１４（ｂ）の例に示す状態から、ドロップボタン５１５が選択された場合の共有画面装置１８０の画面４９５の表示状態を示すものである。
図１６（ｂ）の例では、付箋サムネイル１３１０に対して移動操作１４４０が行われたので、新しい付箋Ｂ９２０（付箋Ｂ）の作成者が貼り付け位置を指定したものと判断したものである。図７（ｂ）と同等の状態を示している。
また、図１４（ｂ）の例に示す状態から、図１６（ａ）の例に示す状態に遷移してもよいし、図１４（ａ）の例に示す状態から、図１６（ｂ）の例に示す状態に遷移してもよい。
【００４５】
図１２に示す例では、上乗せモードボタン１２２０を表示したが、図１７の例に示すように、補足モードボタン１７２０を表示するようにしてもよい。
つまり、図１７に示す例は、図５に示した例に補足モードボタン１７２０を付加したもの又は修正入替モードにおける表示である。参加者用端末１００の画面４００の付箋表示領域４１０に付箋Ａを表示した例を示している。ユーザーの操作によって、補足モードボタン１７２０が選択された場合、コンテキスト補足モードで新たな付箋を作成する画面である図１８の例に変更する。
【００４６】
図１８（ａ）の例は、付箋Ａを縮小した付箋サムネイル１３１０を付箋表示領域４１０内の右下に表示し、その付箋サムネイル１３１０に対する指示ボタンとして、上乗せモードボタン１８２０、消去ボタン１３３０を表示したものである。つまり、図１７の例での表示では等倍だった付箋Ａの表示が、付箋表示領域４１０内の右下隅にアイコン化される。なお、付箋表示領域４１０内には、ユーザーの操作によって、付箋Ａの内容を補足する付箋Ｂの内容が記載される。そして、図１８（ａ）の例に示す状態で、ユーザーの操作によって、ドロップボタン５１５が選択された場合は、前述した図１５（ａ）の例のように、台紙上で貼り付け位置を移動できるようにする。
図１８（ｂ）の例は、ユーザーの操作によって、付箋表示領域４１０内で付箋サムネイル１３１０を移動操作１８４０したものである。これは、前述したように、台紙上での付箋Ａ（図１８（ｂ）では付箋サムネイル１３１０）と付箋Ｂ（図１８（ｂ）では付箋表示領域４１０内に記載された内容）の位置関係を指定する操作である。つまり、新しく作成した付箋Ｂを送信する前に、貼り付け位置を指定している操作である。そして、図１８（ｂ）の例に示す状態で、ユーザーの操作によって、ドロップボタン５１５が選択された場合は、前述した図１５（ｂ）の例のように、図１８（ｂ）の例で指定された位置関係にしたがって、付箋Ｂを台紙上に貼り付ける。
図１８（ａ）又は（ｂ）の例に示す状態で、ユーザーの操作によって、上乗せモードボタン１８２０が選択された場合、上乗せモードで新たな付箋を作成する画面である図１９の例に変更する。同様に、ユーザーの操作によって、消去ボタン１３３０が選択された場合、図１０の例に示した消去ボタン１０１０と同等の処理を行う。
【００４７】
図１９（ａ）の例は、付箋Ａを縮小した付箋サムネイル１３１０を付箋表示領域４１０内の右下に表示し、その付箋サムネイル１３１０に対する指示ボタンとして、補足モードボタン１９２０、消去ボタン１３３０を表示したものである。つまり、図１８（ａ）の例で示した上乗せモードボタン１８２０を補足モードボタン１９２０に変更したものである。なお、付箋表示領域４１０内には、ユーザーの操作によって、新しい付箋Ｂの内容が記載される。そして、図１９（ａ）の例に示す状態で、ユーザーの操作によって、ドロップボタン５１５が選択された場合は、前述した図１６（ａ）の例のように、台紙上で貼り付け位置を移動できるようにする。
図１９（ｂ）の例は、ユーザーの操作によって、付箋表示領域４１０内で付箋サムネイル１３１０を移動操作１９４０したものである。これは、前述したように、台紙上での付箋Ａ（図１９（ｂ）では付箋サムネイル１３１０）と付箋Ｂ（図１９（ｂ）では付箋表示領域４１０内に記載された内容）の位置関係を指定する操作である。つまり、新しく作成した付箋Ｂを送信する前に、貼り付け位置を指定している操作である。そして、図１９（ｂ）の例に示す状態で、ユーザーの操作によって、ドロップボタン５１５が選択された場合は、前述した図１６（ｂ）の例のように、図１９（ｂ）の例で指定された位置関係にしたがって、付箋Ｂを台紙上に貼り付ける。
図１９（ａ）又は（ｂ）の例に示す状態で、ユーザーの操作によって、補足モードボタン１９２０が選択された場合、コンテキスト補足モードで新たな付箋を作成する画面である図１８の例に変更する（戻る）。同様に、ユーザーの操作によって、消去ボタン１３３０が選択された場合、図１０の例に示した消去ボタン１０１０と同等の処理を行う。
【００４８】
図１２、１７で示した例では、上乗せモードボタン１２２０、補足モードボタン１７２０の片方を表示しているが、図２０の例に示すように、上乗せモードボタン１２２０、補足モードボタン１７２０の両方を表示するようにしてもよい。
そして、ユーザーの操作によって、上乗せモードボタン１２２０が選択された場合、上乗せモードで新たな付箋を作成する画面である図１３の例に変更すればよい。ユーザーの操作によって、補足モードボタン１７２０が選択された場合、コンテキスト補足モードで新たな付箋を作成する画面である図１８の例に変更すればよい。
【００４９】
なお、本実施の形態としてのプログラムが実行されるコンピュータのハードウェア構成は、図２１に例示するように、一般的なコンピュータであり、具体的にはパーソナルコンピュータ、サーバーとなり得るコンピュータ等である。つまり、具体例として、処理部（演算部）としてＣＰＵ２１０１を用い、記憶装置としてＲＡＭ２１０２、ＲＯＭ２１０３、ＨＤ２１０４を用いている。ＨＤ２１０４として、例えばハードディスク、ＳＳＤ（Ｓｏｌｉｄ  Ｓｔａｔｅ  Ｄｒｉｖｅ）を用いてもよい。通信モジュール１０５、既存付箋取込モジュール１１０、送信付箋関連付けモジュール１１５、既存付箋畳重ＵＩモジュール１２０、付箋関連判定モジュール１２５、通信モジュール１５５、付箋内容管理モジュール１６０、付箋属性管理モジュール１６５、付箋関連付け管理モジュール１７０、通信モジュール１８５、表示モジュール１９０等のプログラムを実行するＣＰＵ２１０１と、そのプログラムやデータを記憶するＲＡＭ２１０２と、本コンピュータを起動するためのプログラム等が格納されているＲＯＭ２１０３と、操作・属性記録モジュール１３０としての機能を有する補助記憶装置（フラッシュメモリ等であってもよい）であるＨＤ２１０４と、キーボード、マウス、タッチパネル、マイク等に対する利用者の操作に基づいてデータを受け付ける受付装置２１０６と、ＣＲＴ、液晶ディスプレイ、スピーカー等の出力装置２１０５と、ネットワークインタフェースカード等の通信ネットワークと接続するための通信回線インタフェース２１０７、そして、それらをつないでデータのやりとりをするためのバス２１０８により構成されている。これらのコンピュータが複数台互いにネットワークによって接続されていてもよい。
【００５０】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２１に示すハードウェア構成は、１つの構成例を示すものであり、本実施の形態は、図２１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図２１に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００５１】
なお、枠外又は付箋表示領域内での付箋サムネイル等の移動操作において、既に台紙上で、元の付箋Ａに対して、上乗せの関係又は補足の関係にある第３の付箋が表示されている場合は、その位置には移動できないようにしてもよい。
また、枠外又は付箋表示領域内での付箋サムネイル等の移動操作は自由にできるが、移動した位置が、既に台紙上で、元の付箋Ａに対して、上乗せの関係又は補足の関係にある第３の付箋が表示されている場合は、その第３の付箋とは異なる位置に、新たに作成された付箋Ｂを表示するようにしてもよい。また、１枚の付箋に対して補足の関係にある付箋が複数枚ある場合（さらに、貼り付ける位置が同じであることを条件としてもよい）は、その順番を変更できるようにしてもよい。例えば、その順番を指定できるボタン等を用意して、そのボタン等が選択されたことによって、順番を入れ替えるようにしてもよい。
【００５２】
前述の例では、１つの付箋の作成毎に台紙に貼り付ける処理を行っているが、複数の付箋を作成した後に、その複数の付箋を台紙に貼り付けるようにしてもよい。その場合は、上乗せモード、コンテキスト補足モード、修正入替モード、通常送信モードのいずれで作成された付箋であるかを示す表示（色、形、説明分の付記等）にしてもよい。もちろんのことながら、１つの付箋を貼り付ける際にも、作成されたときのモードを示す表示を行うようにしてもよい。
また、台紙は、共有画面装置１８０の画面４９５に表示しているが、参加者用端末１００の画面４００に表示するようにしてもよい。その場合は、付箋の作成者又は他の参加者（付箋が作成された参加者用端末１００以外の参加者用端末１００を利用している参加者）が、貼り付けの指示を行うことになる。
【００５３】
また、付箋Ａ４９０を選択した状況に応じて、いずれの関係（モード）であるかを判断するようにしてもよい。例えば、付箋Ａ４９０の作成者とその付箋Ａ４９０を選択した者（付箋Ａ４９０が表示された参加者用端末１００の操作者）が同じか否かで、デフォルトの関係を決定するようにしてもよい。例えば、付箋Ａ４９０の作成者とその付箋Ａ４９０を選択した者が同じ場合は、修正入替モード又はコンテキスト補足モードのいずれかとしてもよい。そして、それ以外であることを示す操作があった場合は、次に他のモード（「最初を修正入替モードとした場合は、次はコンテキスト補足モード」、「最初をコンテキスト補足モードとした場合は、次は修正入替モード」）とするようにしてもよい。
また、付箋Ａ４９０の作成者とその付箋Ａ４９０を選択した者が異なる場合は、修正入替モード又は上乗せモードのいずれかとしてもよい。なお、修正入替モードをデフォルトとした場合は、修正入替モードであるか否かをファシリテーターに判断させるようにしてもよい。そして、それ以外であることを示す操作があった場合は、次に他のモード（「最初を修正入替モードとした場合は、次は上乗せモード」、「最初を上乗せモードとした場合は、次は修正入替モード」）とするようにしてもよい。
さらに、付箋Ａ４９０の作成者とその付箋Ａ４９０を選択した者が同じであって、連続している（付箋Ａ４９０が直近で作成されている）場合、上乗せモード又はコンテキスト補足モードのいずれかとしてもよい。そして、それ以外であることを示す操作があった場合は、次に他のモード（「最初を上乗せモードとした場合は、次はコンテキスト補足モード」、「最初をコンテキスト補足モードとした場合は、次は上乗せモード」）とするようにしてもよい。
【００５４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００５５】
１００…参加者用端末
１０５…通信モジュール
１１０…既存付箋取込モジュール
１１５…送信付箋関連付けモジュール
１２０…既存付箋畳重ＵＩモジュール
１２５…付箋関連判定モジュール
１３０…操作・属性記録モジュール
１５０…付箋サービス処理装置
１５５…通信モジュール
１６０…付箋内容管理モジュール
１６５…付箋属性管理モジュール
１７０…付箋関連付け管理モジュール
１８０…共有画面装置
１８５…通信モジュール
１９０…表示モジュール
２１０…会議室
２９０…通信回線
【図１】
0006451428.tif 000002
【図２】
0006451428.tif 000003
【図３】
0006451428.tif 000004
【図４】
0006451428.tif 000005
【図５】
0006451428.tif 000006
【図６】
0006451428.tif 000007
【図７】
0006451428.tif 000008
【図８】
0006451428.tif 000009
【図９】
0006451428.tif 000010
【図１０】
0006451428.tif 000011
【図１１】
0006451428.tif 000012
【図１２】
0006451428.tif 000013
【図１３】
0006451428.tif 000014
【図１４】
0006451428.tif 000015
【図１５】
0006451428.tif 000016
【図１６】
0006451428.tif 000017
【図１７】
0006451428.tif 000018
【図１８】
0006451428.tif 000019
【図１９】
0006451428.tif 000020
【図２０】
0006451428.tif 000021
【図２１】
0006451428.tif 000022